(57)【要約】【課題】屋内の空間を有効に活用することができると共に、下階部から上階部への上昇気流を利用して効率的に洗濯物を乾燥させることができる物干し構造を提供する。【解決手段】下階部２と最上階部６とを接続する階段４の上方に、下階部２から最上階部６へと流通する空気を導入可能な物干し部屋１０が形成され、物干し部屋１０には、通気性を有する床部２０と、物干し部屋１０を囲む前壁部１２、後壁部１４、左壁部１６及び右壁部１８と、後壁部１４に配置され、物干し部屋１０と外部の空間とを連通する開口部１４ａと、開口部１４ａに配置され、開口部１４ａを開閉可能なドア２２とが設けられる。【選択図】図７
2016031002.tif 000002
【特許請求の範囲】
【請求項１】
下階部と上階部とを接続する階段の上方に、前記下階部から前記上階部へと流通する空気を導入可能な物干し部屋が形成される物干し構造。
【請求項２】
前記物干し部屋の下方には、
通気性を有する床部が設けられる請求項１に記載の物干し構造。
【請求項３】
前記物干し部屋には、
前記物干し部屋を囲む壁部と、
前記壁部に配置され、前記物干し部屋と外部の空間とを連通する開口部と、
前記開口部に配置され、前記開口部を開閉可能な開閉手段とが設けられる請求項１又は請求項２に記載の物干し構造。
【請求項４】
前記物干し部屋には、
前記物干し部屋を換気する換気手段が設けられる請求項１から請求項３までのいずれか一項に記載の物干し構造。
【請求項５】
前記物干し部屋には、
前記物干し部屋から出し入れ可能な、洗濯物を干すための物干し部材が設けられる請求項１から請求項４までのいずれか一項に記載の物干し構造。
【請求項６】
前記物干し部材は、
前記洗濯物を保持する物干し具が取り付けられる本体と、
前記物干し具が取り付けられた状態の前記本体を、前記物干し部屋から出し入れされる方向に移動可能に支持する支持部材と、
を具備する請求項５に記載の物干し構造。
【請求項７】
前記物干し部材は、
前記本体を移動させるための操作部材をさらに具備する請求項６に記載の物干し構造。
【請求項８】
前記支持部材は、
前記本体を支持する支持部と、
前記支持部を前記物干し部屋に固定する固定部と、
を備え、
前記本体は、
前記支持部が前記物干し部屋から出し入れされる方向に摺動可能に挿通される摺動溝と、
前記摺動溝が前記支持部に対して摺動する際に、前記固定部との干渉を回避する回避溝と、
を備える請求項６又は請求項７に記載の物干し構造。
【発明の詳細な説明】
【技術分野】
【０００１】
本発明は、屋内に物干し部屋が形成される物干し構造に関する。
【背景技術】
【０００２】
従来、屋内に洗濯物を干すための物干し部屋が形成される物干し構造の技術は公知となっている。例えば、特許文献１に記載の如くである。
【０００３】
特許文献１に記載の技術では、玄関の上方から天窓部まで吹き抜ける吹き抜け空間の、上階の床の高さとほぼ等しい位置に通風採光床が設けられると共に、前記吹き抜け空間の上階部分が壁で囲まれて囲繞空間（物干し部屋）が形成され、前記囲繞空間に物干し棒が設けられている。
【０００４】
特許文献１に記載の技術は、前記玄関の上方に吹き抜け空間が形成される建物において、当該吹き抜け空間を物干しのために有効活用するための技術である。しかしながら、玄関の上方の空間に限らず、屋内の空間を物干しのために有効活用する物干し構造の技術は依然として求められている。
【先行技術文献】
【特許文献】
【０００５】
【特許文献１】特許第５５０２４２３号公報
【発明の概要】
【発明が解決しようとする課題】
【０００６】
本発明は、以上の如き状況を鑑みてなされたものであり、屋内の空間を有効に活用することができる物干し構造を提供するものである。
【課題を解決するための手段】
【０００７】
本発明の解決しようとする課題は以上の如くであり、次にこの課題を解決するための手段を説明する。
【０００８】
即ち、請求項１においては、下階部と上階部とを接続する階段の上方に、前記下階部から前記上階部へと流通する空気を導入可能な物干し部屋が形成されるものである。
【０００９】
請求項２においては、前記物干し部屋の下方には、通気性を有する床部が設けられるものである。
【００１０】
請求項３においては、前記物干し部屋には、前記物干し部屋を囲む壁部と、前記壁部に配置され、前記物干し部屋と外部の空間とを連通する開口部と、前記開口部に配置され、前記開口部を開閉可能な開閉手段とが設けられるものである。
【００１１】
請求項４においては、前記物干し部屋には、前記物干し部屋を換気する換気手段が設けられるものである。
【００１２】
請求項５においては、前記物干し部屋には、前記物干し部屋から出し入れ可能な、洗濯物を干すための物干し部材が設けられるものである。
【００１３】
請求項６においては、前記物干し部材は、前記洗濯物を保持する物干し具が取り付けられる本体と、前記物干し具が取り付けられた状態の前記本体を、前記物干し部屋から出し入れされる方向に移動可能に支持する支持部材と、を具備するものである。
【００１４】
請求項７においては、前記物干し部材は、前記本体を移動させるための操作部材をさらに具備するものである。
【００１５】
請求項８においては、前記支持部材は、前記本体を支持する支持部と、前記支持部を前記物干し部屋に固定する固定部と、を備え、前記本体は、前記支持部が前記物干し部屋から出し入れされる方向に摺動可能に挿通される摺動溝と、前記摺動溝が前記支持部に対して摺動する際に、前記固定部との干渉を回避する回避溝と、を備えるものである。
【発明の効果】
【００１６】
本発明の効果として、以下に示すような効果を奏する。
【００１７】
請求項１においては、屋内の空間を有効に活用することができると共に、下階部から上階部への上昇気流を利用して効率的に洗濯物を乾燥させることができる。
【００１８】
請求項２においては、洗濯物が階段に落ちてしまうことを防止することができる。
【００１９】
請求項３においては、視覚的な不快感を緩和することができる。
【００２０】
請求項４においては、効率的に洗濯物を乾燥させることができる。
【００２１】
請求項５においては、洗濯物を簡単に物干し部屋から出し入れすることができる。
【００２２】
請求項６においては、洗濯物を簡単に物干し部屋から出し入れすることができる。
【００２３】
請求項７においては、物干し部材の本体を物干し部屋から簡単に出し入れすることができる。
【００２４】
請求項８においては、洗濯物を簡単に物干し部屋から出し入れすることができる。
【図面の簡単な説明】
【００２５】
【図１】物干し部屋及び回り階段を示した平面図。
【図２】物干し部屋を示した図。（ａ）側面断面図。（ｂ）正面断面図。
【図３】物干し部屋を示した拡大側面断面図。
【図４】物干し竿及びハンドルを示した図。（ａ）斜視図。（ｂ）軸部の背面断面図。
【図５】支持部材を示した図。（ａ）斜視図。（ｂ）背面断面図。
【図６】洗濯物を干している状態を示した拡大側面断面図。
【図７】洗濯物を乾燥させる状態を示した拡大側面断面図。
【図８】物干し部屋及び階段を示した平面図。（ａ）物干し部屋及び直階段を示した図。（ｂ）物干し部屋及びかね折れ階段を示した図。
【発明を実施するための形態】
【００２６】
以下の説明においては、図中に記した矢印に従って、上下方向、左右方向、及び前後方向をそれぞれ定義する。
【００２７】
以下では、本実施形態に係る物干し構造が採用された物干し部屋１０について説明する。
【００２８】
図１及び図２に示すように、本実施形態に係る物干し部屋１０は、二階建ての建物の屋内で洗濯物を干すための空間である。物干し部屋１０は、二階建ての建物の一階部分である下階部２と二階部分である最上階部６とを接続する階段４の上方に形成される。
【００２９】
本実施形態に係る階段４は、右後部が下階部２と接続されると共に左後部が最上階部６と接続される、上り下りの途中で１８０°向きを変える回り階段である。階段４の上方の空間は、下階部２の天井及び最上階部６の床部が設けられない、下階部２と最上階部６とが連続した吹き抜け空間となっている。
最上階部６において、階段４は、廊下６ａと接続される。最上階部６の廊下６ａは、階段４の左後部から右方向に伸びるように形成される。廊下６ａの右前部には、板面を前後方向に向けた腰壁６ｂが設けられる。
【００３０】
本実施形態に係る物干し部屋１０は、階段４の右部の上方、すなわち、階段４の下階部２側の上方に形成される。物干し部屋１０は、平面視において階段４の後端部から前端部に亘って形成され、長手方向を前後方向に向けた平面視略矩形状に形成される。物干し部屋１０は、廊下６ａよりも高い位置に配置される。物干し部屋１０には、前壁部１２、後壁部１４、左壁部１６及び右壁部１８が設けられる。
【００３１】
前壁部１２は、壁面を前後方向に向けて物干し部屋１０の前部に配置される。本実施形態に係る前壁部１２は、物干し部屋１０が形成される建物の外壁の前上端部である。
【００３２】
後壁部１４は、壁面を前後方向に向けて物干し部屋１０の後部に配置される。後壁部１４は、最上階部６の腰壁６ｂの上部に設けられる。後壁部１４には、前後方向に貫通する正面視略矩形状の開口部１４ａが形成される。すなわち、物干し部屋１０は、その内部空間が最上階部６において外部の空間と連通され、開口部１４ａから洗濯物を出し入れ可能な構成となっている。
【００３３】
左壁部１６は、壁面を左右方向に向けて物干し部屋１０の左部に配置される。左壁部１６は、後壁部１４の左端部から前壁部１２に伸びるような形状に形成される。
【００３４】
右壁部１８は、壁面を左右方向に向けて物干し部屋１０の右部に配置される。右壁部１８は、後壁部１４の右端部から前壁部１２に伸びるような形状に形成される。本実施形態に係る右壁部１８は、物干し部屋１０が形成される建物の外壁の右上端部である。
【００３５】
このような前壁部１２、後壁部１４、左壁部１６及び右壁部１８によって前後方向及び左右方向を囲まれた物干し部屋１０には、床部２０、ドア２２、換気扇２４及び物干し部材３０が設けられる。
【００３６】
図２及び図３に示すように、床部２０は、板面を上下方向に向けて物干し部屋１０の下方に配置される平面視略矩形状の部材である。床部２０は、腰壁６ｂの上端部と同程度の高さに配置される。床部２０は、その外縁部が前壁部１２、腰壁６ｂ、左壁部１６及び右壁部１８に固定される。床部２０には、複数のスリット孔２０ａが形成される。
【００３７】
スリット孔２０ａは、床部２０を上下方向に貫通する平面視略矩形状の孔である。スリット孔２０ａは、床部２０の前部及び後部に、前後方向及び左右方向に所定の間隔を空けて複数形成される。
【００３８】
本実施形態に係る床部２０は、スリット孔２０ａが形成されることにより、下階部２から最上階部６へと流通するの空気をスリット孔２０ａを通して物干し部屋１０に導入可能な通気性を有した床部として構成される。このような床部２０と天井８とにより、物干し部屋１０は、上下方向を囲まれる。
【００３９】
ドア２２は、後壁部１４の開口部１４ａに配置される。ドア２２は、開口部１４ａを開閉可能に取り付けられる。
【００４０】
換気扇２４は、前壁部１２の上端部に設けられる。換気扇２４は、動作されることで物干し部屋１０の空気を屋外に排出し、物干し部屋１０の換気を行うことが可能に構成される。
【００４１】
物干し部材３０は、物干し部屋１０で洗濯物を干すためのものである。本実施形態に係る物干し部材３０は、物干し部屋１０の左部に配置される。物干し部材３０は、物干し竿４０、ハンドル５０及び支持部材６０を具備する。
【００４２】
物干し竿４０は、洗濯物を干すためのハンガーＨ１０及びピンチハンガー等の物干し具が取り付けられるものである（図５（ｂ）参照）。物干し竿４０は、長手方向を前後方向に向けて物干し部屋１０の上部に配置される。図３及び図４に示すように、物干し竿４０は、軸部４２及び取付部４４を備える。
【００４３】
軸部４２は、ハンガーＨ１０のフックＨ１１等が引っ掛けられる部分である（図５（ｂ）参照）。軸部４２の外形は、略円柱形状に形成される。軸部４２は、軸線方向を前後方向に向けて配置される。軸部４２には、摺動溝４２ａ、スリット４２ｂ及び拡径部４２ｃが形成される。
【００４４】
摺動溝４２ａは、軸部４２の軸線方向に沿って、軸部４２の前側面から後端部近傍まで形成される穴である。摺動溝４２ａは、背面視における断面形状が略円形状に形成される。すなわち、軸部４２は、前側面が開口すると共に後側面が閉塞する有底略筒状に形成される。
【００４５】
スリット４２ｂは、軸部４２の外周面を前端部から後端部に亘って切り欠くことで形成される。スリット４２ｂは、軸部４２にハンガーＨ１０のフックＨ１１等を引っ掛けたときに、ハンガーＨ１０のフックＨ１１等と重ならないような部分、本実施形態では軸部４２の左下部に形成される（図５（ｂ）参照）。軸部４２は、スリット４２ｂによって内部（摺動溝４２ａ）と外部とが連通される。すなわち、軸部４２は、背面視における断面形状が略Ｃ字状に形成される。
【００４６】
拡径部４２ｃは、軸部４２の前端部に形成される。拡径部４２ｃは、後端部から前端部に向かうにつれて直径が徐々に大きくなるような形状に形成される。
【００４７】
摺動溝４２ａ及びスリット４２ｂは、このような拡径部４２ｃにも形成されている。摺動溝４２ａは、拡径部４２ｃの後端部から前端部に向かうにつれて内径が徐々に大きくなるような形状に形成される。
【００４８】
取付部４４は、棒状の部材が側面視略Ｕ字状（台形状）に折り曲げられて形成される部材である。取付部４４は、軸部４２の下部に固定される。取付部４４は、前後方向に所定の間隔を空けて軸部４２の下端部に複数（本実施形態では四つ）取り付けられる。
【００４９】
ハンドル５０は、物干し竿４０を前後方向に移動させるための部材である。ハンドル５０は、円筒部５２及び把持部５４を備える。
【００５０】
円筒部５２は、物干し竿４０の軸部４２の後部の直径と略同一の内径を有する円筒状に形成される部分である。円筒部５２は、物干し竿４０の軸部４２の後部に固定される。
【００５１】
把持部５４は、上下方向を長手方向に向けた略直方体状に形成される部分である。把持部５４は、円筒部５２の下端部に固定され、円筒部５２から下方向に突出する。
【００５２】
物干し部屋１０を利用する居住者等は、このように構成されるハンドル５０の把持部５４を握って物干し竿４０を前後方向に移動させることにより、物干し竿４０を物干し部屋１０の後部から出し入れする。
【００５３】
図３及び図５に示すように、支持部材６０は、物干し竿４０を物干し部屋１０で支持するための部材である。本実施形態に係る支持部材６０は、左壁部１６に前後方向に間隔を空けて複数（本実施形態では三つ）固定される。より詳細には、支持部材６０は、左壁部１６の後部、前後中央部の後方及び前端部近傍に固定される。前後中央部の後方に固定される支持部材６０は、後部及び前端部近傍に固定される支持部材６０に対して同じ距離だけ離れた位置（中間位置）に配置されるのではなく、前端部近傍に固定される支持部材６０よりも後部に固定される支持部材６０に近い位置に配置されている。支持部材６０は、固定部６２及び挿通部６４を備える。
【００５４】
固定部６２は、左端部が上方向に伸びると共に、前記上方向に伸びた端部が右方向に伸びるような正面視略Ｌ字状に形成される部分である。固定部６２の左端部は、左壁部１６に固定される。固定部６２は、支持部材６０に支持された物干し竿４０の軸部４２の左下方に配置される。固定部６２には、突出部６２ａが形成される。
【００５５】
突出部６２ａは、固定部６２の右端部から右上方向に（支持部材６０に支持された物干し竿４０の軸部４２に向けて）突出する部分である。突出部６２ａは、スリット４２ｂが前後方向に通過可能となる程度に薄い厚みを有し、前記右上方向に伸びた端部がスリット４２ｂを通って物干し竿４０の軸部４２の内部に配置される。
突出部６２ａ及びスリット４２ｂは、背面視において同じ位相、かつ、物干し竿４０が前後方向に移動するときに軸部４２に引っ掛けられたハンガーＨ１０のフックＨ１１等と干渉しないような位相に配置される。
【００５６】
挿通部６４は、固定部６２の突出部６２ａの右端部に形成される略円錐台状の部分である。挿通部６４は、固定部６２を介して物干し部屋１０に固定され、軸線方向を前後方向に向けて配置される。
本実施形態に係る挿通部６４は、前記円錐台の底面（直径が大きい面）が前部に位置するように配置される。すなわち、挿通部６４の直径は、後方向から前方向に向けて徐々に大きくなるように形成される。挿通部６４の外形は、軸部４２の摺動溝４２ａに挿通可能となるような形状に形成される。より詳細には、挿通部６４の外形は、底面の直径が物干し竿４０の軸部４２の内径よりも小さくなるような形状に形成されている。
【００５７】
このように構成される支持部材６０の挿通部６４は、固定部６２の突出部６２ａに軸部４２のスリット４２ｂの位相が合わせられると共に挿通部６４の軸心位置に軸部４２の軸心位置が合わせられた軸部４２（物干し竿４０）に挿通される。このとき、軸部４２の摺動溝４２ａは、挿通部６４の外周面に対して摺動する。これによって、支持部材６０は、物干し竿４０の軸部４２を前後方向に移動可能に支持する。
【００５８】
次に、物干し部屋１０に洗濯物を干す作業（物干し作業）の手順について説明する。
【００５９】
なお、以下では、居住者が物干し作業を行うものとする。
【００６０】
まず、図３及び図６に示すように、居住者は、最上階部６の廊下６ａに移動して、物干し部屋１０のドア２２を空け、物干し竿４０のハンドル５０の把持部５４を握って物干し竿４０を引っ張る。これにより、居住者は、物干し竿４０を後方向に移動させ、物干し竿４０の一部（例えば、物干し竿４０の後端部から前後中途部まで）を物干し部屋１０から引き出す。
【００６１】
その後、居住者は、シャツ等の洗濯物を掛けたハンガーＨ１０のフックＨ１１を、物干し竿４０の軸部４２に引っ掛ける。また、居住者は、物干し竿４０に挟んで固定するようなクリップ式のピンチハンガーＨ２０のクリップＨ２１を、物干し竿４０の取付部４４に挟む。
こうして、居住者は、物干し竿４０の前部側（居住者の奥手側）から洗濯物を取り付ける。そして、居住者は、ハンドル５０の把持部５４を握って物干し竿４０を押し、物干し竿４０を徐々に前方向に移動させながら、物干し竿４０の後部側（居住者の手前側）にも洗濯物を取り付ける。
【００６２】
前述したように、物干し竿４０のスリット４２ｂ及び支持部材６０の突出部６２ａは、物干し竿４０が前後方向に移動するときに、物干し竿４０の軸部４２に引っ掛けられたハンガーＨ１０のフックＨ１１等と干渉しないような位相に配置されている（図５参照）。
【００６３】
このため、居住者は、物干し竿４０の軸部４２にハンガーＨ１０を引っ掛けたままで、物干し竿４０を移動させることができる。
【００６４】
仮に、クリップ式のピンチハンガーＨ２０のクリップＨ２１を軸部４２に挟んだ場合には、物干し竿４０の移動時にピンチハンガーＨ２０と支持部材６０の突出部６２ａとが干渉する可能性がある。そこで、居住者は、軸部４２の下端部に配置される取付部４４にピンチハンガーＨ２０のクリップＨ２１を挟んでいる。
こうして、居住者は、物干し竿４０の移動時にピンチハンガーＨ２０が突出部６２ａに干渉しないようにして、物干し竿４０にハンガーＨ１０引っ掛けると共にピンチハンガーＨ２０を挟んだ状態で、物干し竿４０を移動できるようにしている。
【００６５】
前述したように、前後中央部の後方に固定される支持部材６０は、後部に固定される支持部材６０に対して近い位置に配置されている。このため、支持部材６０は、物干し竿４０の一部が物干し部屋１０から引き出された場合でも、後部及び前後中央部の後方に固定される支持部材６０の挿通部６４、すなわち、複数の挿通部６４によって物干し竿４０を支持することができる。
従って、支持部材６０は、物干し竿４０の一部が物干し部屋１０からある程度引き出された場合でも、物干し竿４０を傾けることなく安定して支持することができる。
【００６６】
図６及び図７に示すように、居住者は、全ての洗濯物を物干し竿４０に取り付けた後で、ハンドル５０の把持部５４を握って物干し竿４０を押し、物干し竿４０を前方向に移動させて物干し部屋１０に物干し竿４０を入れる。
【００６７】
物干し竿４０の軸部４２の摺動溝４２ａは、このような物干し竿４０の前方向への移動時に、前端部近傍に固定される支持部材６０の挿通部６４に対して摺動する。こうして、前記挿通部６４は、摺動溝４２ａに挿通される。
【００６８】
居住者は、物干し竿４０を前方向に移動させた後でドア２２を閉め、物干し作業を完了する。
【００６９】
これによれば、居住者は、階段４の上方の空間、すなわち、他の用途に利用不能な屋内のデッドスペースを利用して、洗濯物を干すことができる。これにより、玄関の上方に吹き抜け空間が形成されていない建物等においても、物干しのために屋内の空間を有効に活用することができる。このため、物干し構造においては、床面積のロスを低減することができる。
【００７０】
前述したように、物干し部屋１０は、前壁部１２、後壁部１４（ドア２２）、左壁部１６及び右壁部１８によって前後方向及び左右方向、すなわち、水平方向から囲まれている。また、物干し部屋１０は、天井８及び床部２０によって上下方向が囲まれている。
このため、物干し構造が採用された物干し部屋１０においては、洗濯物を干している状態を外部から見えにくくすることができ、視覚的な不快感を緩和することができる。
【００７１】
ここで、階段４（吹き抜け空間）には、下階部２から最上階部６に向けた暖かい空気の上昇気流が発生する（図７に示す矢印参照）。本実施形態に係る物干し部屋１０の下方には、スリット孔２０ａによって通気性を有する床部２０が設けられている。このため、前記上昇気流は、スリット孔２０ａを通って物干し部屋１０に導入されることとなる。
【００７２】
これによれば、物干し構造が採用された物干し部屋１０においては、床部２０によって洗濯物の階段４への落下を防止しつつ、前記上昇気流を利用して洗濯物を効率的に（短時間で）乾燥させることができる。
【００７３】
また、居住者は、物干し部屋１０に洗濯物を干した後で換気扇２４を動作させることにより、物干し部屋１０から湿った空気を外部に排出することができる。居住者は、湿った空気を外部に排出することによって、階段４に発生した暖かい空気の上昇気流を積極的に物干し部屋１０に導入することができる。
これにより、物干し構造が採用された物干し部屋１０においては、洗濯物をより効率的に乾燥させることができる。
【００７４】
居住者は、洗濯物が乾燥した後で、ドア２２を空け、物干し竿４０のハンドル５０の把持部５４を握り、物干し竿４０を後方向に引っ張って物干し竿４０の一部を物干し部屋１０から引き出す。そして、居住者は、物干し部屋１０から洗濯物を取り込む。
【００７５】
本実施形態に係る物干し部屋１０には、物干し竿４０が支持部材６０に移動可能に支持されて、物干し部屋１０から物干し竿４０を出し入れ可能な物干し部材３０が設けられている。
このため、居住者は、左壁部１６に物干し竿が固定されている場合等と比較して、物干し部屋１０から簡単に（物干し部屋１０に入ることなく）洗濯物を出し入れすることができる。
【００７６】
本実施形態に係る物干し部材３０は、ハンドル５０を備えることで、居住者等が物干し竿４０を前後方向に簡単に移動可能な構成としている。これにより、居住者は、物干し部屋１０から簡単に（無理のない姿勢で）洗濯物を出し入れすることができる。
【００７７】
本実施形態に係る物干し竿４０は、拡径部４２ｃにおいて、摺動溝４２ａが前方向に向かうにつれて内径が徐々に大きくなるようにしている。また、本実施形態に係る支持部材６０は、直径が後方向に向かうにつれて小さくなる略円錐台状に挿通部６４を形成している。
【００７８】
これにより、本実施形態に係る物干し部材３０は、摺動溝４２ａ（拡径部４２ｃ）の前端部に形成される摺動溝４２ａの内径と挿通部６４の後端部の直径との差を大きくしている。これによって、物干し部材３０は、物干し竿４０と挿通部６４との軸心位置がずれている場合でも、挿通部６４を摺動溝４２ａに簡単に挿通することができるようにしている。
また、支持部材６０の挿通部６４は、拡径部４２ｃに形成される摺動溝４２ａによって後方向へと滑らかに案内される。
【００７９】
物干し竿４０の移動時等において、洗濯物の重み等によって居住者が誤って物干し竿４０を傾けてしまった場合、物干し竿４０に引っ掛けられたハンガーＨ１０等は、物干し竿４０の軸部４２の軸線方向に沿って移動することとなる。前記ハンガーＨ１０等の移動は、軸部４２の下端部に固定される取付部４４によってある程度のところで規制される。
【００８０】
このように、物干し竿４０は、取付部４４によって、クリップ式のハンガー（ピンチハンガーＨ２０）が掛けられた状態でも支持部材６０を移動可能としつつ、傾いた場合においても前端部及び後端部にハンガーＨ１０等が集まってしまうことを防止することができる。
【００８１】
以上のように、本実施形態に係る物干し構造は、下階部２と最上階部６（上階部）とを接続する階段４の上方に、前記下階部２から前記最上階部６へと流通する空気を導入可能な物干し部屋１０が形成されるものである。
【００８２】
このように構成することにより、屋内の空間を有効に活用することができると共に、下階部２から最上階部６への上昇気流を利用して効率的に洗濯物を乾燥させることができる。
【００８３】
前記物干し部屋１０の下方には、通気性を有する床部２０が設けられるものである。
【００８４】
このように構成することにより、洗濯物が階段４に落ちてしまうことを防止することができる。
【００８５】
前記物干し部屋１０には、前記物干し部屋１０を囲む前壁部１２、後壁部１４、左壁部１６及び右壁部１８（壁部）と、前記後壁部１４に配置され、前記物干し部屋１０の内部空間と外部の空間とを連通する開口部１４ａと、前記開口部１４ａに配置され、前記開口部１４ａを開閉可能開なドア２２（開閉手段）とが設けられるものである。
【００８６】
このように構成することにより、視覚的な不快感を緩和することができる。
【００８７】
前記物干し部屋１０には、前記物干し部屋１０を換気する換気扇２４（換気手段）が設けられるものである。
【００８８】
このように構成することにより、効率的に洗濯物を乾燥させることができる。
【００８９】
前記物干し部屋１０には、前記物干し部屋１０から出し入れ可能な、洗濯物を干すための物干し部材３０が設けられるものである。
【００９０】
このように構成することにより、洗濯物を簡単に物干し部屋１０から出し入れすることができる。
【００９１】
前記物干し部材３０は、洗濯物を保持するハンガーＨ１０（物干し具）が取り付けられる物干し竿４０（本体）と、前記ハンガーＨ１０が取り付けられた状態の前記物干し竿４０を、前後方向（物干し部屋１０から出し入れされる方向）に移動可能に支持する支持部材６０と、を具備するものである。
【００９２】
このように構成することにより、洗濯物を簡単に物干し部屋１０から出し入れすることができる。
【００９３】
前記物干し部材３０は、前記物干し竿４０を移動させるためのハンドル５０（操作部材）をさらに具備するものである。
【００９４】
このように構成することにより、物干し部材３０の物干し竿４０を物干し部屋１０から簡単に出し入れすることができる。
【００９５】
前記支持部材６０は、前記物干し竿４０を支持する挿通部６４（支持部）と、前記挿通部６４を物干し部屋１０に固定する固定部６２と、を備え、前記物干し竿４０は、前記挿通部６４が前後方向に摺動可能に挿通される摺動溝４２ａと、摺動溝４２ａが挿通部６４に対して摺動する際に、固定部６２との干渉を回避するスリット４２ｂ（回避溝）を備える。
【００９６】
このように構成することにより、洗濯物を簡単に物干し部屋１０から出し入れすることができる。
【００９７】
以上のように、本実施形態に係る最上階部６は、本発明に係る上階部の実施の一形態である。
本実施形態に係る前壁部１２、後壁部１４、左壁部１６及び右壁部１８は、本発明に係る壁部の実施の一形態である。
本実施形態に係る後壁部１４は、本発明に係る開閉手段が設けられる壁部の実施の一形態である。
本実施形態に係るドア２２は、本発明に係る開閉手段の実施の一形態である。
本実施形態に係る換気扇２４は、本発明に係る換気手段の実施の一形態である。
本実施形態に係る物干し竿４０は、本発明に係る物干し部材の本体の実施の一形態である。
本実施形態に係るハンドル５０は、本発明に係る操作部材の実施の一形態である。
本実施形態に係る挿通部６４は、本発明に係る支持部材の支持部の実施の一形態である。
本実施形態に係るスリット４２ｂは、本発明に係る本体の回避溝の実施の一形態である。
本実施形態に係るハンガーＨ１０は、本発明に係る物干し具の実施の一形態である。
【００９８】
また、本実施形態における前後方向は、本発明に係る「物干し部屋から出し入れされる方向」に対応する。
【００９９】
なお、物干し部屋１０を形成するための階段４は、本実施形態のような回り階段に限定されるものでない。物干し部屋は、例えば、図８（ａ）に示す物干し部屋１１０のように上り下りの途中で向きを変えない直階段１０４の上方に形成されていてもよい。また、物干し部屋は、図８（ｂ）に示す物干し部屋２１０のように上り下りの途中で９０°向きを変えるかね折れ階段２０４の上方に形成されていてもよい。さらに、物干し部屋は、回りながら上り下りする螺旋階段の上方に形成されていてもよい。
【０１００】
物干し部屋１０は、最上階部６と接続される階段４の上方に形成される必要はなく、例えば、三階建て建物の一階及び二階と接続される階段（最上階部と接続されない階段）の上方に形成されていても構わない。すなわち、本発明に係る「上階部」は、建物の最上階部でなくてもよい。
【０１０１】
物干し部屋１０は、階段４の下階部２側の上方に形成されることが好ましい。これにより、物干し部屋１０は、階段４に対してある程度（居住者等が姿勢を変更せずに階段４を利用可能な程度）離れた位置、かつ最上階部６の廊下６ａにある程度（居住者が無理のない姿勢で洗濯物を干せる程度に）近い高さに物干し部材３０を配置可能となる。
【０１０２】
床部２０の構成は、本実施形態に限定されるものでない。すなわち、床部２０は、通気性を有していればよく、例えば、平面視略円状の孔部が形成される床部であっても構わない。
【０１０３】
物干し部屋１０は、下階部２から最上階部６への空気が導入可能であればよく、必ずしも下方に床部２０が設けられていなくても構わない。
【０１０４】
本実施形態においては、物干し部屋１０は前壁部１２、後壁部１４、左壁部１６、右壁部１８、床部２０及び天井８によって前後方向、左右方向及び上下方向を囲まれているものとしたが、本発明はこれに限るものではなく、前壁部１２等のうち少なくとも一部分が開放されていても良い。例えば、後壁部１４や左壁部１６を設けない構成や、後壁部１４や左壁部１６の一部に開口部を設けて常に開放した状態としてもよい。
【０１０５】
換気扇２４は、前壁部１２に設けられる必要はなく、例えば、天井８等に設けられていても構わない。また、物干し部屋１０には、例えば、換気扇２４に替えて、前壁部１２に窓が設けられていても構わない。この場合には、窓が換気手段として機能する。
【０１０６】
物干し部材３０は、洗濯機の上方の空間のような、電化製品や家具によって居住者が出入りしにくい空間や手の届きにくい空間等に設けられていても構わない。
【０１０７】
物干し竿４０に取り付けられる物干し具は、本実施形態のようなハンガーＨ１０及びクリップ式のピンチハンガーＨ２０に限定されるものでない。物干し具は、例えば、靴下等の洗濯物を取り付けるためのピンチハンガーや物干し竿４０に挟んで固定するようなクリップ式のハンガー等であっても構わない。
【０１０８】
スリット４２ｂは、支持部材６０と干渉しなければ、ハンガーＨ１０のフックＨ１１の一部と重なっても構わない。
【０１０９】
支持部材６０は、左壁部１６に固定される必要はなく、例えば、右壁部１８及び天井８等に固定されていても構わない。
【０１１０】
支持部材６０が設けられる個数は、本実施形態のような三つに限定されるものでなく、例えば、一つであってもよい。この場合、支持部材６０は、挿通部６４を前後方向に幅広く形成し、物干し竿４０を安定して支持するようにすることが望ましい。
【０１１１】
ハンガーＨ１０のフックＨ１１等との干渉を回避する必要がない支持部材、すなわち、物干し部屋１０の前端部近傍に固定される支持部材６０は、突出部６２ａ及び挿通部６４が形成されていなくても構わない。このような突出部６２ａ及び挿通部６４が形成されていない支持部材６０は、例えば、軸部４２が引っ掛けられて物干し竿４０が落下しないように支持することが可能な正面視略円弧状に形成される。
【０１１２】
物干し部屋１０には、複数の物干し部材３０が設けられていても構わない。この場合、物干し部材３０は、例えば、左壁部１６及び右壁部１８にそれぞれ支持部材６０が固定され、二つの物干し竿４０が左壁部１６及び右壁部１８に固定される支持部材６０にそれぞれ支持される。
【符号の説明】
【０１１３】
２      下階部
４      階段
６      最上階部（上階部）
１０    物干し部屋
【図１】
2016031002.tif 000003
【図２】
2016031002.tif 000004
【図３】
2016031002.tif 000005
【図４】
2016031002.tif 000006
【図５】
2016031002.tif 000007
【図６】
2016031002.tif 000008
【図７】
2016031002.tif 000009
【図８】
2016031002.tif 000010